(57)【要約】【課題】清掃時の水捨て作業が不要な手乾燥装置を、コストアップを抑えて提供する。【解決手段】送風機からの風を、チャンバー室を介して吹出ノズルから噴出させて、濡れた手を乾燥させる手乾燥装置において、吹出ノズルから噴出する風によって手から吹き飛ばされた水を水受け部１１で受け止め、この水を水抜け穴１８からチャンバー室内に導くようにする。チャンバー室１５内には、水抜け穴１８から流入した水の貯水部２１と、この水を吸収し蒸散させる吸収蒸散材１９とを配置する。チャンバー室１５内に導くことで、この水の蒸発を、手乾燥用の送風機３１やヒータ３２を利用して促進でき、水捨て作業が不要になる。【選択図】図１
2008043673.tif 000002
【特許請求の範囲】
【請求項１】
送風機からの風を、チャンバー室を介して吹出ノズルから噴出させて、濡れた手を乾燥させる手乾燥装置において、
前記吹出ノズルから噴出する風によって手から吹き飛ばされた水を受け止める水受け部と、
前記水受け部で受け止められ水を前記チャンバー室内に導く導入路とを有し、
前記導入路から導入された水を前記チャンバー室内で蒸発させる
ことを特徴とする手乾燥装置。
【請求項２】
前記導入路から導入された水を吸収し蒸散させる吸収蒸散材を前記チャンバー室内に設けた
ことを特徴とする請求項１に記載の手乾燥装置。
【請求項３】
前記チャンバー室内に、前記導入路から導入された水の貯水部を設けた
ことを特徴とする請求項１に記載の手乾燥装置。
【請求項４】
前記貯水部に蓄えられた水を吸収し蒸散させる吸収蒸散材を、前記チャンバー室内に設けた
ことを特徴とする請求項３に記載の手乾燥装置。
【請求項５】
前記水受け部は、前記導入路を介して前記貯水部と連通する水溜め部を備え、
前記貯水部は、その底部が前記水溜め部の底部より低く、かつ、前記水溜め部から水が溢れ出す水位より前記貯水部から水が溢れ出す水位が高くなるように設けられている
ことを特徴とする請求項３または４に記載の手乾燥装置。
【請求項６】
前記導入路の入口に、油、ホコリ、ごみなどを除去するためのフィルタを設けた
ことを特徴とする請求項１乃至５のいずれか１つに記載の手乾燥装置。
【請求項７】
前記送風機およびまたは前記送風機の下流に設けられたヒータを作動させる蒸発促進動作を手乾燥時以外に行なわせる
ことを特徴とする請求項１乃至６のいずれか１つに記載の手乾燥装置。
【請求項８】
前記蒸発促進動作において、前記送風機を手乾燥時より低速に作動させる
ことを特徴とする請求項７に記載の手乾燥装置。
【請求項９】
手乾燥時以外に行なう前記蒸発促進動作において、前記送風機は停止させて前記ヒータを作動させる
ことを特徴とする請求項７に記載の手乾燥装置。
【請求項１０】
手乾燥の使用時間もしくは使用回数に応じて、前記蒸発促進動作を行なう
ことを特徴とする請求項７乃至９のいずれか１つに記載の手乾燥装置。
【発明の詳細な説明】
【技術分野】
【０００１】
本発明は、濡れた手を、吹出ノズルから噴出する風で乾燥させる手乾燥装置に係わり、特に、清掃時の水捨て作業を不要にするための技術に関する。
【背景技術】
【０００２】
濡れた手を吹出ノズルから噴出する風で乾燥させる手乾燥装置では、手から吹き飛ばされた水を受け止めた後、この水を貯水トレイに導いて蓄えておき、溢れる前に作業員などが貯水トレイの水捨てを行なうように構成されている。
【０００３】
このような水捨て作業は、貯水トレイの水位を定期的に確認するなどの手間を要し、煩雑であった。そこで、手から吹き飛ばされた水を受け止める水受け部や貯水トレイに、水の蒸発手段を設けた手乾燥装置が提案されている（たとえば、特許文献１参照。）。この手乾燥装置は、水受け部や貯水トレイにヒータを設けて加熱したり、貯水トレイを送風機の吸気側に配置し、吸気時の風の流れで水を蒸発させたりしている。
【０００４】
【特許文献１】特開２００２−３４５６８１号公報
【発明の開示】
【発明が解決しようとする課題】
【０００５】
上記の手乾燥装置では、風による蒸発では、吸気時の風を貯水トレイの上に流すだけなので、蒸発の促進効果を充分に得ることはできない。また、加熱による蒸発を行なうために、水受け部や貯水トレイに専用のヒータを設けるので、装置価格が高騰してしまうという問題があった。
【０００６】
本発明は、上記の問題を解決しようとするものであり、清掃時の水捨て作業が不要な手乾燥装置を、コストアップを抑えて提供することを目的としている。
【課題を解決するための手段】
【０００７】
かかる目的を達成するための本発明の要旨とするところは、次の各項の発明に存する。
【０００８】
［１］送風機からの風を、チャンバー室を介して吹出ノズルから噴出させて、濡れた手を乾燥させる手乾燥装置において、
前記吹出ノズルから噴出する風によって手から吹き飛ばされた水を受け止める水受け部と、
前記水受け部で受け止められ水を前記チャンバー室内に導く導入路とを有し、
前記導入路から導入された水を前記チャンバー室内で蒸発させる
ことを特徴とする手乾燥装置。
【０００９】
上記発明では、手から吹き飛ばされた水をチャンバー室内に導き、チャンバー室内で蒸発させる。チャンバー室は、手乾燥用の送風機の吹き出し側に設けられるので、回収した水の蒸発を、手乾燥用の送風機やヒータを利用して、促進することができる。
【００１０】
［２］前記導入路から導入された水を吸収し蒸散させる吸収蒸散材を前記チャンバー室内に設けた
ことを特徴とする［１］に記載の手乾燥装置。
【００１１】
上記発明では、チャンバー室内に流入した水の蒸発が、吸収蒸散材により促進される。
【００１２】
［３］前記チャンバー室内に、前記導入路から導入された水の貯水部を設けた
ことを特徴とする［１］に記載の手乾燥装置。
【００１３】
上記発明では、チャンバー室内に流入した水は、一旦、貯水部に蓄えられた後、チャンバー室内で蒸発される。
【００１４】
［４］前記貯水部に蓄えられた水を吸収し蒸散させる吸収蒸散材を、前記チャンバー室内に設けた
ことを特徴とする［１］に記載の手乾燥装置。
【００１５】
上記発明では、貯水部に蓄えられた水の蒸発が吸収蒸散材により促進される。
【００１６】
［５］前記水受け部は、前記導入路を介して前記貯水部と連通する水溜め部を備え、
前記貯水部は、その底部が前記水溜め部の底部より低く、かつ、前記水溜め部から水が溢れ出す水位より前記貯水部から水が溢れ出す水位が高くなるように設けられている
ことを特徴とする［３］または［４］に記載の手乾燥装置。
【００１７】
上記発明では、チャンバー室内の貯水部に蓄えられた水の水位が水溜め部の底部より低いときは、蓄えられた水はユーザから見えず、水位が水溜め部の底部より上昇すると、水溜め部内に水が現れてユーザから見えるようになる。さらに水位が上昇すると、水溜め部から溢れて床排水となる。チャンバー室内の貯水部から水が溢れることはない。このような構成により、ユーザには、蓄えられている水は普段は見えず、オーバーフローが近づくと見えるようになるので、美観を損ねず、注意を促すことができる。
【００１８】
［６］前記導入路の入口に、油、ホコリ、ごみなどを除去するためのフィルタを設けた
ことを特徴とする［１］乃至［５］のいずれか１つに記載の手乾燥装置。
【００１９】
上記発明では、油、ホコリ、ごみなどがチャンバー室内に侵入しなくなり、チャンバー室内の清掃作業が不要もしくは少なくなる。
【００２０】
［７］前記送風機およびまたは前記送風機の下流に設けられたヒータを作動させる蒸発促進動作を手乾燥時以外に行なわせる
ことを特徴とする［１］乃至［６］のいずれか１つに記載の手乾燥装置。
【００２１】
［８］前記蒸発促進動作において、前記送風機を手乾燥時より低速に作動させる
ことを特徴とする［７］に記載の手乾燥装置。
【００２２】
上記発明では、静かに蒸発を促進することができる。
【００２３】
［９］手乾燥時以外に行なう前記蒸発促進動作において、前記送風機は停止させて前記ヒータを作動させる
ことを特徴とする［７］に記載の手乾燥装置。
【００２４】
上記発明では、ヒータの熱によりチャンバー室内に対流が生じるので、無音で蒸発を促進することができる。
【００２５】
［１０］手乾燥の使用時間もしくは使用回数に応じて、前記蒸発促進動作を行なう
ことを特徴とする［７］乃至［９］のいずれか１つに記載の手乾燥装置。
【００２６】
上記発明では、必要に応じて蒸発促進動作が行なわれるので、送風機のモータやヒータの過度の劣化を防止することができる。
【発明の効果】
【００２７】
本発明に係わる手乾燥装置によれば、手から吹き飛ばされた水を受け止めて、チャンバー室内に導き、チャンバー室内で蒸発させるようにしたので、蒸発作用を、手乾燥用の送風機やヒータからの風や熱を利用して促進することができ、清掃時の水捨て作業が不要な手乾燥装置を、低価格に実現することができる。
【発明を実施するための最良の形態】
【００２８】
以下、図面に基づき本発明の各種実施の形態を説明する。
【００２９】
図１は、本発明の第１の実施の形態に係わる手乾燥装置５の内部構造を示す説明図であり、図２は手乾燥装置５の外観を表わしている。手乾燥装置５は、図２に示すように、前面部６と背面部８との間にＵの字状に窪んだ乾燥室１０を備え、濡れた手を上方の開口から乾燥室１０に挿入すると、乾燥室１０の前後両内壁の上部に配列された多数の吹出ノズル１４から温風もしくは冷風が噴出し、手の平および甲に付着した水滴を両側から吹き飛ばして乾燥させるようになっている。乾燥室１０の内壁および底部は、濡れた手から吹き飛ばされた水を受け止める水受け部１１になっている。
【００３０】
図１に示すように、手乾燥装置５の本体内部には、送風機３１と、送風機３１の吹き出し側（下流側）に配置されたヒータ３２と、送風機３１からの風がヒータ３２を介して入口部１６から送り込まれるチャンバー室１５とを設けてあり、送風機３１からの風はヒータ３２およびチャンバー室１５を介して吹出ノズル１４から噴出されるようになっている。
【００３１】
乾燥室１０の底部の前面部６側の隅には、チャンバー室１５に連通する水抜け穴１８が設けてある。水抜け穴１８は、水受け部１１で受け止められた水をチャンバー室１５へ導き入れる導入路としての役割を果たす。水抜け穴１８は、乾燥室１０の底部の前面部６側の隅に設けられることで、前面部６の前に立つ使用者からは、見え難い位置となっている。
【００３２】
チャンバー室１５の内壁には、水抜け穴１８から導入された水を吸収し蒸散させる吸収蒸散材１９が、水抜け穴１８の出口を覆うようにして設けてある。吸収蒸散材１９は、吸水性、放湿性に優れた材料（多孔性の繊維など）で構成されており、さらに、吸音性、抗菌性などを備えている。吸収蒸散材１９は、チャンバー室１５の内壁のほぼ全面に貼着されている。
【００３３】
また、チャンバー室１５内には、吸収蒸散材１９で吸収しきれなかった余剰の水を蓄える上部が開放されたトレイ状の貯水部２１を設けてある。貯水部２１には、蓄えた水の水位を検知する水位センサ２２が設けてある。吸収蒸散材１９の端部は貯水部２１の中に浸されている。図１では、水抜け穴１８の出口を覆う吸収蒸散材１９と貯水部２１に浸された吸収蒸散材１９と分離しているように見えるが、サイドで繋がっている。
【００３４】
貯水部２１の脇には、オーバーフロー穴２３が開設されている。オーバーフロー穴２３の高さＢは、チャンバー室１５の入口部１６の高さＡよりも低く設定されてり、貯水部２１から溢れた水は、入口部１６から送風機３１側へ流れることなく、オーバーフロー穴２３へ流入して、排水ホース２４を通じ、床面へ排水されるようになっている。
【００３５】
手乾燥装置５の内部にはさらに、当該手乾燥装置５の動作を制御する制御部３５が設けられている。制御部３５は、ＣＰＵ（Central Processing Unit）、ＲＯＭ（Read Only Memory）、ＲＡＭ（Random Access Memory）などで構成される。制御部３５は、乾燥室１０に手が挿入されたことを検知する図示省略のセンサや水位センサ２２などからの信号が入力されると共に、送風機３１やヒータ３２に対して送風や加熱の制御信号を出力する。
【００３６】
次に、手乾燥装置５の作用を説明する。
【００３７】
図２に示すように、使用者が手を上方から乾燥室１０に挿入すると、送風機３１およびヒータ３２がオンになり、チャンバー室１５を介して吹出ノズル１４から風が勢い良く吹き出し、濡れた手から水を吹き飛ばして乾燥させる。吹き飛ばされた水は乾燥室１０の内壁を成す水受け部１１に受け止められた後、水抜け穴１８を通じてチャンバー室１５内へ導かれる。チャンバー室１５内に導かれた水は吸収蒸散材１９に吸収された後、チャンバー室１５内で蒸発する。この蒸発は、チャンバー室１５を通る冷風や温風および吸収蒸散材１９の放湿性により促進される。
【００３８】
手乾燥の使用頻度が高く、水抜け穴１８から流入した水を吸収蒸散材１９で吸収蒸散しきれなくなると、余剰の水は貯水部２１に貯えられる。
【００３９】
制御部３５は、水位センサ２２により貯水部２１内の水位を検知しており、水位が基準値より高くなると、手乾燥時以外においても送風機３１やヒータ３２を作動させて蒸発促進動作を行なう。蒸発促進動作では、送風機３１を手乾燥時よりも十分低速で作動させる第１動作モード、送風機３１を手乾燥時よりも十分低速で作動させかつヒータ３２をオンにする第２動作モード、送風機３１を停止させた状態でヒータ３２をオンにする第３動作モードなどがある。送風機３１を手乾燥時よりも十分低速で作動させることで、静かに蒸発を促進することができる。また、第３動作モードでは、ヒータ３２の加熱による対流でチャンバー室内に空気の流れが生じ、無音で蒸発を促進することができる。蒸発した水分は吹出ノズル１４を通じて外部へ排出される。
【００４０】
なお、水位センサ２２を設けることなく、手乾燥の使用頻度や使用時間を制御部３５で監視し、手乾燥の使用頻度や使用時間に応じて蒸発促進動作を作動させるように制御してもよい。たとえば、単位時間当たりの使用時間や使用回数に応じて、蒸発促進動作を作動させたり、蒸発促進動作を上記のいずれの動作モードで作動させるかを判断したり、送風機の動作速度やヒータの発熱量などを数段階あるいは無段階に制御したりしてもよい。
【００４１】
このように、濡れた手から吹き飛ばされた水を水受け部１１で受け止め、水抜け穴１８を通じてチャンバー室１５内へ導き、チャンバー室１５内で蒸発させるようにしたので、清掃員などによる水捨て作業が不要になり、メンテナンスが容易になる。また、送風機３１の吹き出し側にあるチャンバー室１５の中で蒸発させるので、ファンやヒータを別途に設けることなく、手乾燥用に設けた送風機３１やヒータ３２を利用して蒸発を促進させることができ、装置価格を高騰させることなく、水捨て作業不要の手乾燥装置５を得ることができる。
【００４２】
また、吸収蒸散材１９は吸音材としての機能も果たすので、吸音材を別途設ける場合に比べて、コスト低減に繋がると共に、限られたサイズのチャンバー室１５内で吸収蒸散材１９の設置面積を増やしつつ、チャンバー室１５内での良好な空気の流れが確保されて効率よく蒸発を促進することができる。
【００４３】
さらに、吸収蒸散材１９は抗菌性を有しているので、チャンバー室１５内が清潔に維持され、ひいては吹出ノズル１４から清潔な風を吹き出すことができる。また、手乾燥時以外に送風機３１を動作させると、この動作中に水抜け穴１８を通じて乾燥室１０内へ送風されるようになり、乾燥室１０の壁面に残った水分を蒸発させて乾燥室１０を乾燥された清潔な状態に維持することができる。
【００４４】
なお、清掃時の水かけなどにより、多量の水が水抜け穴１８から流入して貯水部２１から水が溢れた場合、この水は送風機３１側へ流れることなく、オーバーフロー穴２３から排水ホース２４を通じて床面へ排水される。
【００４５】
次に、本発明の第２の実施の形態について説明する。
【００４６】
図３は第２の実施の形態に係わる手乾燥装置５ａの内部構造を示す断面図であり、図４は第２の実施の形態に係わる手乾燥装置５ａの外観を示している。基本的構造は第１の実施の形態と同一であるが、第２の実施の形態に係わる手乾燥装置５ａでは、多量の水が水抜け穴１８から流入した場合でも、床排水が防止されるように構成されている。
【００４７】
手乾燥装置５ａの水受け部１１は、底部に水を溜めることのできる水溜め部１２を備えている。水溜め部１２は乾燥室１０の下部の左右両サイドに、必要な水位分の壁１２ａを設けることで、上部の開放された箱状を成している。水溜め部１２は水抜け穴１８を通じてチャンバー室１５内の貯水部２１ａと連通している。
【００４８】
貯水部２１ａは、その底部の高さＦが水溜め部１２の底部の高さＥより低く、かつ、水溜め部１２から水が溢れ出す水位Ｄ（壁１２の最低高さ）よりも貯水部２１ａから水が溢れ出す水位Ｃが高くなるように設けられている。図３では図示省略されている送風機３１およびヒータ３２からの風Ｗは、貯水部２１ａの下側に設けられた入口部１６ａからチャンバー室１５内へ送り込まれる。
【００４９】
水抜け穴１８から流入する水の蒸発に関する作用や蒸発促進動作については、第１の実施の形態と同様であり、その説明は省略する。
【００５０】
通常の使用状態では、貯水部２１ａ内の水位は高さＥ以下に収まり、使用者からは蓄えられた水が見えないようになっている。手乾燥の使用量が多くなり、水受け部１１で受け止める水の量が増加し、水位が水溜め部１２の底部の高さＥより上昇すると、水溜め部１２内に水が溜まるようになる。水溜め部１２に溜まった水は使用者から見えるので、これを見た使用者は満水を理解して対応をとることができる。このように水位が上昇するのは、清掃時の水かけなどの場合が多いので、それ以上の水かけ清掃を中止するようにすればよい。
【００５１】
なお、さらに多量の水を水溜め部１２に入れて水位が高さＤに達すると、それ以上の水は水溜め部１２から溢れてサイドから床下へと排出される。水位が高さＣを超えることはないので、チャンバー室１５内に水が溢れ出すことはない。
【００５２】
このような構造にすることで、第１の実施の形態の手乾燥装置５にあったようなオーバーフロー穴２３や排水ホース２４を設ける必要がなくなり、部品点数が減少する。また、普段は、蓄えられている水は使用者から見えず、オーバーフローが近づくと、乾燥室１０の底部という、使用者から良く見える箇所に水が現れてくるので、使用者は、これ以上使うとオーバーフローすることを容易に認識でき、適宜の対応をとることができる。特に、従来の手乾燥装置の多くは、貯水トレイを本体下部などに設けていたので水位を確認し辛かったが、オーバーフローが近づくと、手乾燥時など普段の使用でよく見える箇所に水が現れて来るので、だれでも簡単に気づくことができる。
【００５３】
次に、本発明の第３の実施の形態について説明する。
【００５４】
手乾燥の際に手から吹き飛ばされるものには、水のほかに、油、ホコリ、ごみなどがあり、さらに手乾燥時以外にもホコリやごみが乾燥室１０内に落下する。そこで、第３の実施の形態に係わる手乾燥装置５ｂでは、水抜け穴１８の入口に、ろ過フィルタを設けて、油、ホコリ、ごみなどを除去するようになっている。
【００５５】
図５は、第３の実施の形態に係わる手乾燥装置５ｂの内部構造を示す断面図を示している。基本的構造は第２の実施の形態で示した手乾燥装置５ａと同様であるが、第３の実施の形態に係わる手乾燥装置５ｂでは、ろ過フィルタ４１を備えた槽内ボックス４０を乾燥室１０の下部に嵌め込んで使用するようになっている。乾燥室１０の下部の内壁面１１は、図６に拡大図示したように、槽内ボックス４０を嵌め込んだときに、丁度、乾燥室１０の内壁面１１が段差無く槽内ボックス４０の内壁面と連なるように、槽内ボックス４０の内壁面の厚みに相当する分だけ外側に凹ませてある。なお、図７に示すように、水受け部１１を成す乾燥室１０の底部には第２の実施の形態と同様に水溜め部１２（サイドの壁１２ａ）が形成されている。
【００５６】
乾燥室１０内に落下するホコリやごみは槽内ボックス４０内に貯まり、清掃時には、図７に示すように、槽内ボックス４０を乾燥室１０から取り外して洗浄する。これにより、乾燥室１０の底部を直接、清掃する場合に比べて、清掃作業が容易になる。図７の矢印Ｐで示すように槽内ボックス４０の両サイドを内側に向かって押すと、槽内ボックス４０が変形して前後の壁部が内側に傾き（矢印Ｑ）、乾燥室１０の底部に設けた段差から外れて槽内ボックス４０を乾燥室１０から取り外すことができる。
【００５７】
ろ過フィルタ４１は、細長い円柱状を成しており、槽内ボックス４０の底の一方の縁に沿って係止されている。詳細には、槽内ボックス４０の底の一方の縁部は、ろ過フィルタ４１を槽内ボックス４０の内側から保持する断面半円弧状の壁部と槽内ボックス４０の外側から保持する壁部とを交互に有しており、これらの壁部の間にろ過フィルタ４１を挿通して係止するようになっている。槽内ボックス４０を乾燥室１０の下部へ装着したとき、ろ過フィルタ４１は丁度、水抜け穴１８の入口にほぼ接するようになっている。
【００５８】
槽内ボックス４０に貯まった水は、ろ過フィルタ４１を通じて槽内ボックス４０の外へ流出し、水抜け穴１８からチャンバー室１５内へ流入するようになっている。したがって、油、ホコリ、ごみなどが除去された後の水が水抜け穴１８を通じてチャンバー室１５内へ流入するので、チャンバー室１５内を清潔に保つことができ、チャンバー室１５の内部を清掃するといった保守作業が不要にあるいは軽減することができる。
【００５９】
第３の実施の形態においても、第２の実施の形態と同様に、貯水部２１ａの底部の高さＦは水溜め部１２の底部の高さＥより低く、かつ、水溜め部１２から水が溢れ出す水位Ｄよりも貯水部２１ａから水が溢れ出す水位Ｃが高くなるように設けられている。また槽内ボックス４０の一方の側壁には窓部４２が設けてあり、この窓部４２の下端の高さは水溜め部１２から水が溢れ出す高さＤと同じ、もしくは高さＤ以下に設定されている。
【００６０】
したがって、貯水部２１ａに蓄えられている水の水位が高さＥ以下の場合は、使用者から水は見えず、高さＥ以上になると槽内ボックス４０の中に水が貯まるようになり、水位が高さＤを超えると、槽内ボックス４０および水溜め部１２から水が溢れて床下へ排水される。
【００６１】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６２】
たとえば、第３の実施の形態では、ろ過フィルタ４１を備えた槽内ボックス４０を乾燥室１０の下部に嵌め込むように構成したが、ろ過フィルタの装着方法はこれに限定されるものではなく、水抜け穴１８の入口に、何らかの方法でろ過フィルタが設けられればよい。なお、ろ過フィルタは交換の便宜上、乾燥室１０側から取り外し可能に装着されることが望ましい。
【００６３】
また、第１の実施の形態では、貯水部２１を設けたが、吸収蒸散材１９による保水量を充分確保できる場合には、貯水部２１を取り去る構成にされてよい。逆に、吸収蒸散材１９は設けずに、水抜け穴１８からチャンバー室１５に流入した水を貯水部２１、２１ａで蓄えて蒸発させるように構成されてもよい。チャンバー室１５内でどのようにして水を保持しているかは問わず、チャンバー室１５内で蒸発されるようになされていればよい。
【図面の簡単な説明】
【００６４】
【図１】本発明の第１の実施の形態に係わる手乾燥装置の内部構造を示す説明図である。
【図２】本発明の第１の実施の形態に係わる手乾燥装置の外観を示す説明図である。
【図３】本発明の第２の実施の形態に係わる手乾燥装置の内部構造を示す断面図である。
【図４】本発明の第２の実施の形態に係わる手乾燥装置における水位の関係を示す説明図である。
【図５】本発明の第３の実施の形態に係わる手乾燥装置の内部構造を示す断面図である。
【図６】本発明の第３の実施の形態に係わる手乾燥装置において槽内ボックスを装着した乾燥室の下部を拡大図示した断面図である。
【図７】本発明の第３の実施の形態に係わる手乾燥装置において槽内ボックスを着脱する様子を示す説明図である。
【符号の説明】
【００６５】
５、５ａ、５ｂ…手乾燥装置
６…前面部
８…背面部
１０…乾燥室
１１…水受け部（乾燥室の内壁面をなす）
１２…水溜め部
１２ａ…水溜め部を構成するサイドの壁
１４…吹出ノズル
１５…チャンバー室
１６…チャンバー室の入口部
１８…水抜け穴
１９…吸収蒸散材
２１、２１ａ…貯水部
２２…水位センサ
２３…オーバーフロー穴
２４…排水ホース
３１…送風機
３２…ヒータ
３５…制御部
４０…槽内ボックス
４１…ろ過フィルタ
４２…窓部
【図１】
2008043673.tif 000003
【図２】
2008043673.tif 000004
【図３】
2008043673.tif 000005
【図４】
2008043673.tif 000006
【図５】
2008043673.tif 000007
【図６】
2008043673.tif 000008
【図７】
2008043673.tif 000009